(57)【要約】【課題】本発明は、土を補強すると共に、植物（果樹・野菜）が発芽、育成または繁茂する土壌に必要な養分を供給することができる土質改良材および改良土を提供せんとするものである。【解決手段】本発明の土質改良材は、繊維径が１０μｍ〜２０００μｍの範囲で、繊維長が５ｍｍ〜１５０ｍｍの範囲であり、かつ、繊維強度が１０〜１１０ｍＮ／ｄｔｅｘの範囲内にある中空短繊維が、土を改質する養分または無機粒子を含有してなることを特徴とするものである。また、本発明の改良土は、かかる土質改良材が、乾燥質量割合で０．１重量％以上、被改良土に配合されていることを特徴とするものである。【選択図】なし【特許請求の範囲】
【請求項１】
繊維径が１０μｍ〜２０００μｍの範囲で、繊維長が５ｍｍ〜１５０ｍｍの範囲であり、かつ、繊維強度が１０〜１１０ｍＮ／ｄｔｅｘの範囲内にある中空短繊維が、土質を改質する養分を含有してなることを特徴とする土質改良材。
【請求項２】
該含有の形態が、封入および付着から選ばれた少なくとも１種である請求項１に記載の土質改良材。
【請求項３】
該中空短繊維が、オレフィン系樹脂、塩化ビニル系樹脂、ポリエステル系樹脂、ポリアミド系樹脂、アクリル系樹脂およびポリカーボネート系樹脂から選ばれた少なくとも１種の熱可塑性樹脂である請求項１または２に記載の土質改良材。
【請求項４】
該熱可塑性樹脂が、エラストマーである請求項３に記載の土質改良材。
【請求項５】
該エラストマーが、スチレン・ブタジエン系エラストマー、エチレン・プロピレン系エラストマー、ポリエステル系エラストマーおよびポリアミド系エラストマーから選ばれた少なくとも１種である請求項４に記載の土質改良材。
【請求項６】
該中空短繊維が、生分解性樹脂である請求項１または２に記載の土質改良材。
【請求項７】
該生分解性樹脂が、ポリブチレンサクシネート、ポリ乳酸、ポリグリコール酸、ポリカプロラクトン、ポリエーテルアミドおよびポリビニルアルコールから選ばれた少なくとも１種である請求項６に記載の土質改良材。
【請求項８】
該生分解性合成樹脂が、分解期間の異なる樹脂を含む構成からなるものである請求項６または７に記載の土質改良材。
【請求項９】
該土質改良材が、該熱可塑性樹脂製中空短繊維と該生分解性樹脂製中空短繊維との混合・配合されたもので構成されている請求項１〜８のいずれかに記載の土質改良材。
【請求項１０】
該中空短繊維が、異形断面繊維である請求項１〜９のいずれかに記載の土質改良材。
【請求項１１】
該異形断面繊維が、多角形、不定形および扁平形から選ばれた少なくとも１種である請求項１０に記載の土質改良材。
【請求項１２】
該中空短繊維が、捲縮を有するものである請求項１〜１１のいずれかに記載の土質改良材。
【請求項１３】
該中空短繊維が、繊維長の異なるものを含むものである請求項１〜１２のいずれかに記載の土質改良材。
【請求項１４】
該中空短繊維が、繊維径および中空径から選ばれた少なくとも１つが異なるものを含むものである請求項１〜１３のいずれかに記載の土質改良材。
【請求項１５】
該土質を改質する養分が、植物の発芽・育成繁茂に必要不可欠な窒素・燐酸・カリウムを主たる成分とする養分であることを特徴とする請求項１〜１４の何れかに記載の土質改良材。
【請求項１６】
該中空短繊維が、該中空短繊維径の１／２以下の粒径を有する無機粒子を含有することを特徴とする請求項１〜１５のいずれかに記載の土質改良材。
【請求項１７】
該無機粒子の粒径が、０．０５μｍ〜１０００μｍの範囲内にあることを特徴とする請求項１６に記載の土質改良材。
【請求項１８】
該無機粒子が、活性炭粒子である請求項１６または１７に記載の土質改良材。
【請求項１９】
請求項１〜１８のいずれかに記載の土質改良材を、乾燥質量割合で０．１重量％以上、被改良土に配合されていることを特徴とする改良土。
【発明の詳細な説明】
【０００１】
【発明の属する技術分野】
本発明は、土質が軟弱かつ肥沃でない場合、補強と養分供給とを同時に達成することができる土質改良材および土質改良土であって、特に造園・農業・林業土木を含む土木工事において好適な土質改良材に関するものである。
【０００２】
【従来の技術】
従来、土が軟弱である場合、セメントや生石灰など安定させる安定処理が一般的に施されていた。これらの安定処理に用いられる処理剤は、軟弱な土に添加、混合撹拌し転圧することで、土に強度を付与し、植樹・農園・菜園を造成する場合には、かかる安定処理を施した地盤に良質な扶養土を盛り土し、更に必要に応じて養分を適宜散布または混練されていた。
【０００３】
また、短繊維を土に混入して、土の改質を図る公知例も存在する。例えば、土に異形断面の短繊維を混入し、土の内部摩擦力を向上させることで土壌を補強する方法（特許文献１参照）や土に生分解性繊維からなる短繊維を混入し、土の内部摩擦力を向上させることで土木工事における切土斜面の表層、のり面の表層を保護することを目的とした工法（特許文献２参照）などがあるが、いずれも土の内部摩擦力の向上を図ることによって、土壌を補強することを目的とするものであるが、繊維径が太く摩擦が得られ難いほか、後者の工法では、機械的能力の問題から、繊維繊度を低く抑える必要がるために、外圧に対して屈曲し易く、改良強度が得られ難い等の問題があった。
【０００４】
【特許文献１】特開平０８−１４３８６４号公報
【０００５】
【特許文献２】特開平１０−２０４８８２号公報
【０００６】
【発明が解決しようとする課題】
しかし、土に安定処理材を添加する技術は、建築構造基礎、道路路床、宅地造成、圃場整備または建設発生残土の処理などに採用されているが、石灰やセメント系土質安定処理材は、運搬・保管など取り扱い上の煩雑さがあることや、安定処理施工中に発生する塵、安定処理材の固化反応時のアルカリ溶出による水質の汚染、固化反応後の土質の収縮によるひび割れや水分循環障害など、多くの課題を有しており、特に植樹・農園・菜園の土壌基盤に採用しても、二次的な施工が必要になるなどの問題が生じるなどの欠点があった。
【０００７】
本発明は、かかる従来技術の背景に鑑み、土を補強すると共に、植物（果樹・野菜）が発芽、育成または繁茂する土壌に必要な養分を供給することができる土質改良材および改良土を提供せんとするものである。
【０００８】
【課題を解決するための手段】
本発明は、かかる課題を解決するために、次のような手段を採用するものである。すなわち、本発明の土質改良材は、繊維径が１０μｍ〜２０００μｍの範囲で、繊維長が５ｍｍ〜１５０ｍｍの範囲であり、かつ、繊維強度が１０〜１１０ｍＮ／ｄｔｅｘの範囲内にある中空短繊維が、土を改質する養分または無機粒子を含有してなることを特徴とするものである。また、本発明の改良土は、かかる土質改良材が、乾燥質量割合で０．１重量％以上、被改良土に配合されていることを特徴とするものである。
【０００９】
【発明の実施の形態】
本発明は、前記課題、つまり土を補強すると共に、植物（果樹・野菜）が発芽、育成または繁茂する土壌に必要な養分を供給することができる土質改良材について、鋭意検討し、特定な中空短繊維に土を改質する養分を含有させてみたところ、かかる課題を一挙に解決することを究明したものである。
【００１０】
本発明において、土とは特に限定されないが、軟弱な土であり、かつ植物が繁茂しうる肥沃な土でない場合、本発明の効果が顕著である。ここで、軟弱な土とは、地盤工学会が定める「土質試験法」に解説される土の粒度試験（ＪＩＳ  Ａ１２０４）、土のコンシステンシー試験（ＪＩＳ  Ａ１２０５／１２０６）、突き固めによる土の締め固め試験（ＪＩＳ  Ａ１２１０）、一軸圧縮強度試験（ＪＩＳ  Ａ１２１６）などにより判定されるものであり、例えば、高含水粘性土やシルト質土、有機質土あるいはこれらの混成土または建設発生残土などが挙げられる。これらの軟弱な土は、一般的に、土木工事用途には適さないものであり、特に造園・農業・林業土木を含む土木工事および植樹・農園・菜園において使用される土には適さないものと考えられていた。
【００１１】
本発明において、かかる中空短繊維を土に添加する方法は特に限定されず、例えば、土と該中空短繊維を混合する方法などを使用することができる。軟弱な土を使用した場合は、混合後に転圧するのが好ましい。ここで、転圧とは、例えば、土の靱性を向上させるなどの目的で、機械的に締め固めることを言う。かかる転圧に用いる機械は特に限定されず、汎用の機械を使用することができる。
【００１２】
本発明でいう中空短繊維は、繊維径が１０μｍ〜２０００μｍの範囲内にあり、かつ、繊維長が５ｍｍ〜１５０ｍｍの範囲内にあり、さらに繊維強度が１０〜１１０ｍＮ／ｄｔｅｘの範囲内にある中空短繊維であることが必要である。
【００１３】
かかる中空短繊維の繊維径は、１０μｍ〜２０００μｍ、好ましくは１０μｍ〜１０００μｍである必要がある。すなわち、繊維径が小さくなるほど、配合する繊維の本数を増す必要があるため、土への分散性が高まるとともに、内部摩擦力を高める効果を得ることができ、その結果、補強効果を高める傾向がある。しかし、１０μｍ未満の繊維径である場合、軟弱な土を過剰に緻密化する傾向にあることから、植物が繁茂する上で根張りし難いため好ましくなく、さらに、混合撹拌が難しいなどの取り扱い上の問題があるため好ましくない。また、繊維径が２０００μｍを越えると、土の粒子と中空短繊維、または中空短繊維同士の絡み合いが不足する傾向があり、内部摩擦力を高める効果を期待しにくく、好ましくない。
【００１４】
また、かかる中空短繊維は、繊維長が５ｍｍ〜１５０ｍｍ、好ましくは５ｍｍ〜１００ｍｍ、特に好ましくは５ｍｍ〜８０ｍｍの範囲である必要がある。すなわち、繊維径が同一条件下では、繊維長が長くなるほど、土の粒子の拘束力が高まる傾向にあるものであるが、繊維長が５ｍｍ未満では、定量的に土の粘着力や内部摩擦力が高まる傾向にはあるが、得られる補強効果にバラツキが大きく好ましくない。また、繊維長が１５０ｍｍを越えると、補強効果は横這いとなり、繊維同士の絡み合いから、土中における繊維の分散不良が生じるため好ましくない。
【００１５】
かかる中空短繊維の繊維強度は、１０〜１１０ｍＮ／ｄｔｅｘの範囲内にある必要がある。繊維強度が１０ｍＮ／ｄｔｅｘ未満では、補強効果が不足し、また１１０ｍＮ／ｄｔｅｘを越えると、繊維の剛軟度が高まりすぎて、外力に対する土の変位に追随できない上に、土の粘着力が得られない傾向があり、さらにあまりに高強度すぎると、該中空短繊維に含有された養分が効果的に放出・溶出または分解されにくくなるので好ましくない。ここで、繊維強度は、化学繊維フィラメント糸試験方法（ＪＩＳ  Ｌ  １０１３）に基づいて測定した値を言う。
【００１６】
かかる中空短繊維は、たとえばオレフィン系樹脂、塩化ビニル系樹脂、ポリエステル系樹脂、ポリアミド系樹脂、ポリカーボネート系樹脂、スチレン・ブダジエン系熱可塑性エラストマー、エチレン・プロピレン系熱可塑性エラストマー、ポリエステル系熱可塑性エラストマー、ポリアミド系熱可塑性エラストマーなどの熱可塑性樹脂から選ばれた少なくとも１種が好ましく用いられる。かかる熱可塑性樹脂を使用することによって、生産性良く該中空短繊維を得ることができる。これらの中でも、コストや耐腐食性の点から、オレフィン系樹脂、ポリエステル系樹脂、ポリアミド系樹脂、アクリル樹脂から選ばれた少なくとも１種がより好ましく用いられる。
【００１７】
また、かかる中空短繊維は、前記熱可塑性樹脂の他に、生分解性を有する繊維で構成することもできる。かかる繊維としては、たとえば生分解性合成樹脂からなる中空短繊維、さらには麻や綿などの植物繊維からなるセルロース中空短繊維やアセテート中空短繊維を使用することができる。
【００１８】
かかる生分解性合成樹脂からなる中空短繊維としては、脂肪族ポリエステル系やポリアミド系やビニル系などの合成樹脂からなる合成繊維が好ましく用いられる。かかる脂肪族ポリエステル系樹脂としては、脂肪族ポリエステル系のポリヒドロキシブチレート、ポリ乳酸、ポリグリコール酸、ポリカプロラクトン、ポリブチレンサクシネート、ポリアミド系樹脂としては、ポリエーテルアミド、ビニル系樹脂としては、ポリビニルアルコールなどをそれぞれ使用することができる。
【００１９】
かかる生分解性を有する中空短繊維を、高い含水率を有する土質に添加し、植物の生育基盤として用いる場合においては、土が余剰水を排水し、土の圧密が促進されるとともに、植物の生育・繁茂に伴う根張りが進んだ後は、土自体の強度が増加するので、中空短繊維による土の補強効果は必要でなくなる。従って、このケースにおいては、中空短繊維は生分解性を有していることが望ましく、特に長期間にわたり、肥沃な土に改質するために必要な養分を供給する場合、異なる分解期間を有する少なくとも２種類以上の中空短繊維を含むのが好ましく用いられる態様である。
【００２０】
ただし、土そのものの滑動、崩壊、浸食が懸念される箇所など、過大な外力や応力が常時加えられることが考えられる場合おいては、生分解性を有する中空短繊維を使用するよりは、熱可塑性樹脂からなる中空短繊維を選択して使用することで好ましい。また、種々の土に適合させたいものを望む場合には、かかる２種の中空短繊維、つまり生分解性を有する中空短繊維と熱可塑性樹脂からなる中空短繊維とを混合・併用するのが好ましい。かかる混合比率は、対象土によって適宜選択して採用するのがよい。
【００２１】
かかる中空短繊維の断面形状は、特に限定されず、円状、楕円状の他、多角形または不定形および扁平形のものを使用することができる。また、中空短繊維の断面形状を、中空短繊維の長さ方向に変えることもできる。この場合、中空短繊維の断面積が繊維の長さ方向で３％以上異なることが好ましい。断面形状を工夫することで、土の粒子との噛み合わせによる摩擦を向上することができ、より高い補強効果を得ることができる。
【００２２】
また、かかる中空短繊維は、例えば肥沃な土に改質するために必要な養分を該中空短繊維内外に、機械的方法または化学的方法を用いて、吸着、封入させることができるので、かかる養分を土中に放出または溶出・分散させて、植物の生育および農業、林業に好適な土壌環境を提供する効果を奏するものである。
【００２３】
かかる肥沃な土に改質するために必要な養分は多量に必要な養分として酸素・炭素・水素以外に窒素・燐酸・カリウム・カルシウム・マグネシウム・硫黄の中から選ばれ、また、微量でよい養分は塩素・ホウ素・鉄・マンガン・亜鉛・銅・モリブデンの中から選ばれるものである。多量に必要な上記の養分は植物の細胞壁やタンパク質、でんぷんなど、主に植物体を形成するために使用され、このうち肥料養分として施用するのは窒素・燐酸・カリの３要素であり、該３要素を主たる養分として液状・粉末・顆粒状の形態に加工して好適に用いられる。また、微量でよい上記の養分は主として細胞内の化学反応を行う酵素（タンパク質）の構成成分あるいは補助成分であり、砂で構成される土質を除く土質では、土質より自然に供給される程度の量で充分であるため、肥料養分として施用しなくても欠乏はしないものである。
【００２４】
また、カルシウムとマグネシウムは土質の酸性を中和する効果があり、硫黄（硫酸塩）には土のアルカリ性を中和する効果がある。特に雨が多く土壌が酸性になり易い地域では、該カルシウムやマグネシウムを主たる養分として液体・粉末・顆粒状の形態に加工して好ましく用いられる。
【００２５】
本発明に用いられる中空短繊維として、捲縮を有するものも土木用の土質改良材においては好ましく用いられる。機械的に捲縮された中空短繊維を任意に採取し、ガラス板に挟み波形の山の数が３〜１２山／インチの範囲にある捲縮数が好ましい態様である。捲縮数が３山／インチ未満である場合、土の粒子との摩擦が得難くなるために好ましくなく、捲縮数が１３山／インチ以上である場合、圧縮バネ効果がたかまり、土の粒子の拘束効果は大きくなるが、土への均質な分散混合が困難になることと、中空糸内部への養分の封入が困難になり、かつ封入された養分が放出・拡散し難くなるため好ましくない。
【００２６】
また、かかる中空短繊維として、その繊維長が１０ｍｍ以上異なる少なくとも２種類の中空短繊維を含むことも好ましい態様である。これらの中空短繊維を使用することで、例えば緑化植生を必要とするような宅地の表層部や河川が本来有している生物・動植物の良好な生育環境（ビオトープ）を醸成し、美しい自然景観を再現した多自然護岸などに用いた場合、土のひび割れや流水による浸食の抑制効果が向上し、かつ植物根の引き抜き抵抗力を向上させることができる。
【００２７】
かかる中空短繊維は、その繊維径の１／２以下の粒径を有する無機粒子を含有していることが好ましい。具体的には該無機粒子の粒径は０．０５μ〜１ｍｍであることが好ましい。かかる無機粒子の含有形態は特に限定されず、例えば、中空短繊維内部に分散していてもよく、また中空短繊維表面に付着していてもよい。かかる無機粒子を含有することで、土の粒子を内部から拘束し、より一層の土の粒子との噛み合わせによる摩擦を奏させることができる。
【００２８】
かかる無機粒子の種類は特に限定されないが、好ましくは活性炭粒子である。かかる活性炭粒子は、中空短繊維により補強された補強土の表層部または内部を通・排水する水分を効果的に浄化することができる。かかる活性炭粒子を使用する場合、活性炭の粒径は５μｍ〜１ｍｍであるのが好ましい。
【００２９】
本発明の改良土は、かかる土質改良材が、乾燥質量割合で０．１重量％以上、好ましくは０．１重量％以上５重量％以下添加・配合されていることが重要である。すなわち、かかる土質改良材の添加量が０．１重量％未満では補強効果が十分でなく、肥沃土化も十分ではなくなることがあり、また、５重量％を越えると、土の内部が緻密になりすぎて、土本来の保湿性能や、植物の根張り効果が減退する可能性が生じる。
【００３０】
本発明の土質改良材用の好ましい中空短繊維の具体例としては、中空短繊維の外径が１０μｍ〜２０００μｍ、中空内径が５μｍ〜１９００μｍの範囲で、繊維長が５ｍｍ〜１５０ｍｍの範囲であり、かつ、繊維強度が１０〜１１０ｍＮ／ｄｔｅｘの範囲内にあるものが使用される。かかる土質改良用中空短繊維としては、好ましくは異形断面が円形・多角形・不定形および扁平系である異形断面繊維であるのが養分保持性の上からよい。かかる中空短繊維のさらに好ましい携帯としては、捲縮を有するものが、養分または無機粒子の保持性の上からよい。
【００３１】
【実施例】
以下、本発明を実施例によりさらに詳細に説明する。なお、実施例の土質改良材の評価は以下の方法によった。
（中空短繊維による補強土の調整、評価の概要）
評価用の土質材料に肥沃な土に改質するために必要な養分が封入された分解期間の異なるポリ乳酸からなる中空短繊維を添加、充分に混合撹拌することで得た改良土に植物種子を埋め込み、発芽・生育の状態と、ポリ乳酸からなる中空短繊維の分解状況、および改良土の耐浸食性と保湿性を測定し、該中空短繊維による土の改良効果を確認した。
（評価に用いた土質材料）
ＪＨ／日本道路公団「日本道路公団設計要領」に解説される「粘土およびシルト質土」に近い性状に調整した土質材料を用い評価材料とした。以下に用いた土質材料の性状を以下に記す。
土の内部摩擦角：φ＝２９．２°
土の粘着力：Ｃ＝１１．７ｋＮ／ｍ２
土の単位体積重量：γｔ＝１．４６２ｔｆ／ｍ３  
土の含水比：Ｗｎ＝４６．５％
ここで言う土の内部摩擦角はすなわち土のせん断抵抗角であって、土のせん断強さの内、摩擦成分を表すものを言い、ＪＧＳ−０５２７「不飽和土の三軸圧縮試験」方法によって求められる。土の粘着力は土のせん断強さの内、土の粒子の粘着成分を言い、ＪＩＳ  Ａ１２１６「土の粘着力試験」方法によって求められる。また、土の単位体積重量とは土の単位体積あたりの重量を言い、ＪＩＳ  Ａ１２２５「土の密度試験」方法によって求められる。土の含水比とは湿潤状態にある土質の土粒子の絶対乾燥状態の重量との比を言い、ＪＩＳ  Ａ１２０３「土の含水量試験」方法によって求められる。上記土の物性値は通常土の性状を簡易に判断する指標とされるものであり、該物性値はＪＨ／日本道路公団「日本道路公団設計要領」に解説される土の材料として好適な範囲にあるものである。ここで、試験方法は地盤工学会「土質試験法解説」に規定されているものを用いた。
【００３２】
実施例１
融点１６８℃で、２６０℃１０００ｓｅｃ−１における溶融粘度が１３５０ｐｏｉｓｅである、ポリＬ−乳酸チップ（重量平均分子量１８．５万、Ｌ体比率９５重量％、Ｄ体比率５重量％）を、６０℃に設定した真空乾燥機で４８ｈｒ乾燥した。乾燥したチップを用いて紡糸機にて紡糸温度２６０℃で中空に紡糸し、１７００ｍ／分の速度で未延伸糸を巻き取った。続いて、得られた未延伸糸を通常のホットロール−ホットロール系延伸機を用いて延伸温度８０℃、熱セット温度１１８℃で延伸糸の伸度が４０％になるように延伸倍率を併せて延伸を行い、２．２ｄｔｅｘの中空の延伸糸を得た。
【００３３】
続いて、押し込みにより機械的座屈を付与する方式の通常のクリンパーを用いて捲縮を付与し、１インチあたりの平均捲縮数を４山に調整し、１０〜５０ｍｍの長さの範囲内でランダムにカットすることによって、ポリ乳酸の中空短繊維を得た。
【００３４】
かくして得られたポリ乳酸の中空短繊維を、肥沃な土質に改質するために必要な液状をなす主として窒素・燐酸・カリが配合された液体肥料（株式会社フローラ製の植物用栄養活力液「ＨＢ−１０１」が例示される。この活力肥料の内訳は、ナトリウム：４１ｍｇ／Ｌ、カルシウム：３３ｍｇ／Ｌ、鉄：１．８ｍｇ／Ｌ、マグネシウム：３．３ｍｇ／Ｌ、ケイ素：７．４ｍｇ／Ｌ、窒素：９７ｍｇ／Ｌ、カドミウム：不検出、ヒ素：不検出の無機質肥料であって、該肥料の１０００倍稀釈時の水素イオン濃度はＰＨ＝６．５前後の弱酸性を示し、急性毒性無し、長期連用毒性無しとされるもの。）養分で満たされた圧力水槽に浸漬させ、１０ｋｇｆ／ｃｍ２  の圧力で６０分間水槽内部を加圧後、１０分間に１ｋｇｆ／ｃｍ２  の割合で減圧することによって得られた肥沃な土質に改質するために必要な養分が封入された土質改良材を得た。
【００３５】
上記土質材料を縦５０ｃｍ×横１００ｃｍ×深さ３０ｃｍの木箱に締め固めながら充填したのち、いずれも土木用途に於いて一般的に緑化に用いられるケンタッキー芝の種子を２０個、バミューダグラスの種子２０個を表層２ｃｍの深さに埋め込んだ植生サンプル１につき、１２ヶ月間、３ヶ月毎に生育・植生状態を評価した。評価結果を表１に示す。
【００３６】
実施例２
実施例１で得た土質改良材を乾燥質量割合で１％添加、計６分間の混合撹拌を施してなる改良土を縦５０ｃｍ×横１００ｃｍ×深さ３０ｃｍの木箱に締め固めながら充填したのち、いずれも土木用途に於いて一般的に緑化に用いられるケンタッキー芝の種子を２０個、バミューダグラスの種子２０個を表層２ｃｍの深さに埋め込んだ植生サンプル２について、１２ヶ月間３ヶ月毎に生育・植生状態および土質改良材の分解状況を評価した。評価結果を表１に示す。
【００３７】
【表１】
2004229535.tif 000002
【００３８】
表１から明らかなように実施例は土を補強する繊維でありながら、肥沃な土に改質するとともに、植物の根が張る成長過程と並行して分解していく土質改良材であり、植生繁茂に好適な環境を提供できることがわかる。
【００３９】
実施例３
実施例１、実施例２で得た植生サンプル１および２に対し、ＪＩＳ  Ａ１２２２「現場ＣＢＲ試験」に解説される路床土支持力比の測定方法に準じて支持力（ＣＢＲ値：％）を測定した後、植生サンプルの木箱底面の５０％を外して、かつ、３０度の角度に傾けて設置したものに、高さ３ｍの位置に設置した散水ノズルを用いて１時間に２０ｍｍの降雨強度で均等に連続散水し、散水後３時間までは１時間毎、以降は３時間毎、降雨後９時間までに浸食され流出した土量を測定して実施例１、実施例２で得た植生サンプルの耐浸食性を評価した。
【００４０】
また、耐浸食性評価を終了した植生サンプルの土の含水比：Ｗｎ（％）を測定して比較することで保水性の効果を評価した。評価結果を表２に示す。
【００４１】
【表２】
2004229535.tif 000003
【００４２】
表２からも明らかなように実施例は該土質改良材により改良された土は改良されていない土に比べＣＢＲ値にあらわされる支持力が増加し、降雨に伴う流出土量も少なく耐浸食性が改善されている。また、降雨により水を含んだ後の支持力も大きく低下することもなく試験前の土の含水比に比べて水分量が増えていることから保湿性も改善されたことがわかる。
【００４３】
【発明の効果】
本発明によれば、特に造園・農業・林業土木を含む土木工事において周辺環境に与える影響を極小化し、ハンドリング性を向上させるとともに、土を補強しながらも植樹・農園・菜園の土壌に必要な養分を供給することができる土質改良材を提供することができる。